(57)【要約】【課題】  扉体に付された表示が見やすいタイムスイッチを提供する。【解決手段】  タイムスイッチ１０は、負荷操作用や設定入力用のハンドルが前面に設けられたハウジング３０を備える。ハウジング３０には、設定入力用のハンドルを覆う開位置と設定入力用のハンドルを露出させる閉位置との間でハウジング３０に対して回動自在な扉体４８が取り付けられている。扉体４８において、閉位置で後ろ向きとなって隠れ開位置で前方へ向けられる面には、設定入力用のハンドルの操作方法を表示する銘板４９が貼着されている。閉位置から開位置に向かう方向の回動範囲を制限するようにハウジング３０に当接する制限突起を扉体４８に設けた。扉体４８において銘版４９が貼着された面が開位置では斜め上向きとなるから、目線が扉体４８よりも上側に位置する使用者Ｕにとって銘板４９の表示が見やすくなる。【選択図】図１
2007274185.tif 000002
【特許請求の範囲】
【請求項１】
それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置とを備え、負荷側端末器は伝送制御装置から入力された制御信号に応じて負荷を制御する遠隔監視制御システムに用いられるタイムスイッチであって、
操作入力に応じてトリガを生成する負荷操作用トリガ手段を少なくとも１個有する負荷操作部と、
それぞれ制御時刻と制御アドレスとを含む制御プログラムが少なくとも１個格納されたプログラム記憶部と、
時刻を計時する計時手段と、
負荷操作用トリガ手段がトリガを生成したときに操作信号を生成するとともに、計時手段によって計時された時刻がいずれかの制御プログラムの制御時刻となったときに該制御プログラムに設定された制御アドレスを有するトリガ手段がトリガを生成したときと同様の操作信号を生成する制御部と、制御部によって制御され制御部が生成した操作信号を伝送制御装置に出力する送信部と、
制御プログラムの内容を入力する操作入力を受け付けるプログラム入力手段を有する設定入力部と、
負荷操作部と設定入力部と送信部とをそれぞれ保持し負荷操作部において操作されるハンドルと設定入力部において操作されるハンドルとをそれぞれ前面に露出させ後面を造営面に向けて造営面に固定されるハウジングと、
少なくとも設定入力部のハンドルを覆う閉位置と、閉位置における上端部を下端部に対して造営面に向かって右方から見て反時計回りに回動させて設定入力部のハンドルを露出させる開位置との間で、ハウジングに対して回動自在に取り付けられた扉体とを備え、
扉体において閉位置で設定入力部のハンドルに向けられる内面には、設定入力部の操作方法の説明が表示されていて、
閉位置から開位置に向かう方向の扉体の回動を、扉の内面が下方に向かって前方へ傾斜する位置までに制限する制限手段が、扉体とハウジングとの少なくとも一方に設けられていることを特徴とするタイムスイッチ。
【請求項２】
操作入力に応じてトリガを生成する切替入力手段を備え、
制御部は、切替入力手段がトリガを生成したときに、トリガ手段のアドレスと負荷のアドレスとの対応関係が操作信号に応じて設定される設定モードと、操作信号に応じて負荷を制御する通常モードとの間で、伝送制御装置の動作を切り替えさせる所定の切替信号を生成して送信部から伝送制御装置に出力させるとともに、
伝送制御装置の動作を設定モードとしている期間には、負荷操作部への操作入力と設定入力部への操作入力とに応じて、負荷と負荷操作用トリガ手段との対応付けを指示する操作信号を生成して送信部から伝送制御装置に出力させることを特徴とする請求項１記載のタイムスイッチ。
【請求項３】
設定入力部には、制御アドレスを指定する操作入力を受け付けるアドレス入力手段が設けられていることを特徴とする請求項１又は請求項２記載のタイムスイッチ。
【請求項４】
それぞれ検知範囲内の人体の存在を検知する人感センサが少なくとも１個接続されるとともに、接続された人感センサのいずれかで人体が検知されたときにトリガを生成するセンサ接続部を備え、
送信部は、センサ接続部がトリガを生成したときに所定の操作信号を伝送制御装置に出力することを特徴とする請求項１〜３のいずれか記載のタイムスイッチ。
【発明の詳細な説明】
【技術分野】
【０００１】
本発明は、遠隔監視制御システムに用いられるタイムスイッチに関するものである。
【背景技術】
【０００２】
従来から、伝送制御装置と、少なくとも１個の負荷側端末器と、少なくとも１個の制御側端末器とを備える遠隔監視制御システムが提供されている。制御側端末器は、それぞれ予めアドレスが設定されて所定の条件でトリガを生成する例えばスイッチのようなトリガ手段を少なくとも１個有し、いずれかのトリガ手段がトリガを生成したときに該トリガ手段のアドレスを含む操作信号を伝送制御装置に出力する。伝送制御装置は、いずれかの制御側端末器から操作信号を入力されたときに、トリガを生成したトリガ手段に予め対応付けられた負荷のアドレスを含み該負荷の制御を指示する制御信号を負荷側端末器に出力する。負荷側端末器は、それぞれ予めアドレスが設定された少なくとも１個の負荷が接続され、伝送制御装置から入力された制御信号に、自らが有する負荷のアドレスが含まれているとき、該制御信号に従って該負荷を制御する。
【０００３】
この種の遠隔監視制御システムにおいて用いられる制御側端末器として、タイムスケジュールに沿って自動的に操作信号を出力するプログラム動作が可能なタイムスイッチと呼ばれるものがある。タイムスイッチは、プログラム動作の内容を設定する操作入力を受け付ける設定入力部を備える（例えば、特許文献１参照）。
【０００４】
ここで、設定入力部において使用者に操作される押釦などのハンドルは、通常の運転中は使用されないものであるため、誤って操作されることがないように、設定入力部を保持したハウジングに対して回動して上記ハンドルを開閉自在に覆う扉体を設け、さらに、扉体において閉じた状態での内面に、設定入力部の操作方法を示す表示を付すことが提案されている。上記従来例によれば、通常は上記表示が扉体の内側に隠れるから、例えば上記表示をハウジングの前面に付す場合に比べて見栄えがよく、設定入力部を操作する際には扉体が開かれることにより露出する上記表示を参照することができる。
【特許文献１】特開２００２−１６９８７号公報
【発明の開示】
【発明が解決しようとする課題】
【０００５】
しかし、一般にタイムスイッチのハウジングは壁面等の造営面において平均的な目線の位置よりも下側に固定して用いられるため、扉体に付せられた上記の表示は上側から斜めに見下ろされる形となり見づらくなることが多かった。
【０００６】
本発明は上記事由に鑑みて為されたものであり、その目的は、扉体に付された表示が見やすいタイムスイッチを提供することにある。
【課題を解決するための手段】
【０００７】
請求項１の発明は、それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置とを備え、負荷側端末器は伝送制御装置から入力された制御信号に応じて負荷を制御する遠隔監視制御システムに用いられるタイムスイッチであって、操作入力に応じてトリガを生成する負荷操作用トリガ手段を少なくとも１個有する負荷操作部と、それぞれ制御時刻と制御アドレスとを含む制御プログラムが少なくとも１個格納されたプログラム記憶部と、時刻を計時する計時手段と、負荷操作用トリガ手段がトリガを生成したときに操作信号を生成するとともに、計時手段によって計時された時刻がいずれかの制御プログラムの制御時刻となったときに該制御プログラムに設定された制御アドレスを有するトリガ手段がトリガを生成したときと同様の操作信号を生成する制御部と、制御部によって制御され制御部が生成した操作信号を伝送制御装置に出力する送信部と、制御プログラムの内容を入力する操作入力を受け付けるプログラム入力手段を有する設定入力部と、負荷操作部と設定入力部と送信部とをそれぞれ保持し負荷操作部において操作されるハンドルと設定入力部において操作されるハンドルとをそれぞれ前面に露出させ後面を造営面に向けて造営面に固定されるハウジングと、少なくとも設定入力部のハンドルを覆う閉位置と、閉位置における上端部を下端部に対して造営面に向かって右方から見て反時計回りに回動させて設定入力部のハンドルを露出させる開位置との間で、ハウジングに対して回動自在に取り付けられた扉体とを備え、扉体において閉位置で設定入力部のハンドルに向けられる内面には、設定入力部の操作方法の説明が表示されていて、閉位置から開位置に向かう方向の扉体の回動を、扉の内面が下方に向かって前方へ傾斜する位置までに制限する制限手段が、扉体とハウジングとの少なくとも一方に設けられていることを特徴とする。
【０００８】
この発明によれば、使用者の目線よりも下側に位置することが多い扉体の内面が、開位置において制限手段により斜め上向きとなるから、制限手段を設けない場合に比べ、扉体の内面に表示された操作方法の説明が見やすくなる。
【０００９】
請求項２の発明は、請求項１の発明において、操作入力に応じてトリガを生成する切替入力手段を備え、制御部は、切替入力手段がトリガを生成したときに、トリガ手段のアドレスと負荷のアドレスとの対応関係が操作信号に応じて設定される設定モードと、操作信号に応じて負荷を制御する通常モードとの間で、伝送制御装置の動作を切り替えさせる所定の切替信号を生成して送信部から伝送制御装置に出力させるとともに、伝送制御装置の動作を設定モードとしている期間には、負荷操作部への操作入力と設定入力部への操作入力とに応じて、負荷と負荷操作用トリガ手段との対応付けを指示する操作信号を生成して送信部から伝送制御装置に出力させることを特徴とする。
【００１０】
この発明によれば、負荷と負荷操作用トリガ手段との対応関係を、別途の装置を用いることなく設定可能となる。
【００１１】
請求項３の発明は、請求項１又は請求項２の発明において、設定入力部には、制御アドレスを指定する操作入力を受け付けるアドレス入力手段が設けられていることを特徴とする。
【００１２】
この発明によれば、アドレス入力手段において制御アドレスとして負荷操作用トリガ手段のアドレス以外のアドレスを指定することにより、負荷操作用トリガ手段に対応付けられていない負荷を制御プログラムによって制御することができる。
【００１３】
請求項４の発明は、請求項１〜３のいずれかの発明において、それぞれ検知範囲内の人体の存在を検知する人感センサが少なくとも１個接続されるとともに、接続された人感センサのいずれかで人体が検知されたときにトリガを生成するセンサ接続部を備え、送信部は、センサ接続部がトリガを生成したときに所定の操作信号を伝送制御装置に出力することを特徴とする。
【００１４】
この発明によれば、人感センサをトリガ手段として有する制御側端末器を別途に設ける必要がない。
【発明の効果】
【００１５】
本発明によれば、閉位置から開位置に向かう方向の扉体の回動を、扉の内面が下方に向かって前方へ傾斜する位置までに制限する制限手段が、扉体とハウジングとの少なくとも一方に設けられているので、使用者の目線よりも下側に位置することが多い扉体の内面が、開位置において制限手段により斜め上向きとなるから、制限手段を設けない場合に比べ、扉体の内面に表示された操作方法の説明が見やすくなる。
【発明を実施するための最良の形態】
【００１６】
以下、本発明を実施するための最良の形態について、図面を参照しながら説明する。
【００１７】
本実施形態のタイムスイッチ１０は、図２に示すような遠隔監視制御システムにおいて伝送路Ｌｓに接続して使用される。
【００１８】
この遠隔監視制御システムは、伝送路Ｌｓを介してタイムスイッチ１０に接続された伝送制御端末としての制御親機１を備える。
【００１９】
制御親機１はそれぞれ照明負荷や換気扇のような負荷（図示せず）への給電路に挿入されそれぞれアドレスが付された複数個（図では８個）のリレー６を有し、伝送路Ｌｓから操作信号が入力されたときに、操作信号に含まれるトリガ手段のアドレスに予め対応付けられたアドレスのリレー６が存在していれば、そのリレー６を操作信号の内容に応じて開閉することにより、そのリレー６に接続された負荷をオンオフ制御する。つまり、制御親機１は負荷側端末器でもある。さらに、伝送路Ｌｓには、他にも、負荷が接続された負荷側端末器（図示せず）が接続されることもあり、制御親機１は、操作信号が入力されたときに、負荷側端末器に対して負荷の制御を指示する制御信号を伝送路Ｌｓに出力する。負荷側端末器において、接続された各負荷にはそれぞれ予め個別にアドレスが設定されている。制御親機１には予めトリガ手段のアドレスと負荷のアドレスとの対応関係が設定されており、制御信号には制御対象となる負荷のアドレスと制御の内容とが含まれている。負荷側端末器は、伝送路Ｌｓから入力された制御信号に含まれる負荷のアドレスが、自らの有する負荷のアドレスと一致するときに、制御信号に含まれる制御の内容に応じて該負荷を制御する。行われる制御としては、１個のトリガ手段のトリガに対応して１個の負荷を制御する個別制御のほか、１個のトリガ手段のトリガに対応して複数個の負荷を一括して制御するグループ制御や、１個のトリガ手段のトリガに対応して複数個の負荷を予め個別に設定された一定の状態に制御するパターン制御などがある。制御親機１は、リレー６を開閉したときや負荷の制御を指示する制御信号の送信が完了したときに、操作信号を送信した制御側端末器に対し、対応する負荷の状態を表示する発光ダイオードなどの制御を指示する制御信号を生成し、伝送路Ｌｓへ送出する。ここで、上記のような伝送路Ｌｓを介した信号の送受信には、例えばポーリングなどの周知の多重伝送技術を用いることができる。
【００２０】
タイムスイッチ１０は、操作入力に応じた操作信号を出力する通常の制御側端末器としての動作に加えて、予め設定された制御プログラムに従って自動的に操作信号を出力するプログラム動作が可能なものである。
【００２１】
以下、タイムスイッチ１０について詳細に説明する。
【００２２】
タイムスイッチ１０は、図３に示すように、マイクロコンピュータよりなる信号処理部１１と、信号線接続端子Ｔ１，Ｔ２を介して信号線Ｌｓに接続されて伝送信号を授受する信号送受信部１２と、ＥＥＰＲＯＭなどの不揮発性メモリからなり後述の制御プログラムや各種の設定内容を記憶するプログラム記憶部１３と、信号処理部１１が有する時計部１１ａにクロック信号を供給する時計用の発信回路１４と、操作入力が与えられるキー入力部１５と、液晶パネルからなり信号処理部１１に制御されて各種の設定内容を表示する液晶表示部１６と、各種の設定内容や負荷の動作状態を表示するＬＥＤ表示部２５と、キー入力部１５の操作音やエラー音を鳴動させるブザー回路１７と、信号処理部１１に動作クロックを供給する発信回路１８と、信号処理部１１をリセットするリセット回路１９と、信号線Ｌｓから入力される伝送信号をダイオードブリッジＤＢにより全波整流して得た直流電源を平滑・安定化して動作電源を得る電源回路２０と、電源回路２０の電源電圧を監視することによって停電を検知する電源電圧検出回路２１と、通電時に充電されるコンデンサを電源として停電発生時に信号処理部１１に電源を供給し、時計部１１ａの計時をバックアップするバックアップ電源回路２２と、センサ接続端子Ｔ３，Ｔ４に接続された人感センサとしての熱線センサ７の出力変化を検出して信号処理部１１に与えるセンサ受信回路２３と、外部接点接続端子Ｔ５，Ｔ６間の導通を検出して検出結果を信号処理部１１に入力する外部接点検出回路２４とを備えている。
【００２３】
電源電圧検出回路２１は、電源回路２０の電源電圧を監視することによって停電を検知し、停電検知信号を信号処理部１１に入力する。信号処理部１１は、電源電圧検出回路２１から停電検知信号が入力されると、時計部１１ａなど必要最小限の機能以外を停止させる待機モードに移行して、消費電力を低減する。待機モードでは、時計部１１ａは、バックアップ電源回路２２から電源の供給を受けて、計時動作を所定の停電補償時間継続するようになっている。なお停電が停電補償時間以上継続した場合、時計部１１ａが停止して現在時刻が失われるので、復電後に時刻設定をやり直す必要があるが、プログラムや各種の設定情報などのデータを記憶するプログラム記憶部１３は不揮発性メモリからなるので、上記データが停電で失われることはない。
【００２４】
信号送受信部１２は、信号処理部１１によって制御され、キー入力部１５への操作入力に応じた操作信号の送信や、制御親機１から送信されＬＥＤ表示部２５の制御を指示する制御信号の受信を行う。
【００２５】
プログラム記憶部１３には、制御アドレスと制御時刻との組からなる制御プログラムが格納されており、信号処理部１１は、内蔵する時計部１１ａにより計時される現在時刻（本実施形態では曜日及び時分）がいずれかの制御プログラムの制御時刻に一致したときに、信号送受信部１２を制御し、該制御プログラムに設定されている制御アドレスをアドレスとするトリガ手段がトリガを生成したときと同様の操作信号を伝送路Ｌｓを介して制御親機１へ送信させる。制御アドレスとして、予め複数個の負荷に対応付けられたトリガ手段のアドレスを設定すれば、複数個の負荷を一括して制御するグループ制御や、複数個の負荷をそれぞれ予め定められた一定の状態に制御するパターン制御を、プログラム動作で行わせることもできる。
【００２６】
制御プログラムの入力には、後述する設定入力釦４５ａ〜４５ｆ及び負荷操作釦４６ａへの操作入力を信号処理部１１に与えるキー入力部１５及び液晶表示部１６が用いられる。また、液晶表示部１６は、設定中の内容や、現在時刻や、信号処理部１１の動作モードなどを表示する。
【００２７】
ここで、制御プログラムは基本的には日単位で設定され、制御時刻は曜日と時分との組み合わせを基本としている。また、休日などの特定日には一部の負荷のみが制御されることがあるので、制御プログラムのうちで特定日にも動作させる制御プログラム（以下、「特定日プログラム」と呼ぶ。）を設定可能となっており、特定日には特定日プログラム以外の制御プログラムは実行されない。例えば事業所などで休日などに室内灯は点灯させないが外灯は点灯させたい場合、制御アドレスが外灯に対応付けられたアドレスである制御プログラムのみを特定日プログラムとして設定しておけば、室内灯は点灯させずに、外灯のみを点灯させることができる。信号処理部１１は、全ての制御プログラムに従ってプログラム動作を行う自動運転状態と、特定日プログラムのみに従ってプログラム動作を行う休日運転（特定日運転）状態と、プログラム動作を行わない停止状態とのいずれかの運転状態をとる。自動運転状態と休日運転状態との切り替えは、外部接点接続端子Ｔ５，Ｔ６間の接続を検出する外部接点検出回路２４の出力に応じて行われる。すなわち、外部接点接続端子Ｔ５，Ｔ６間に接続された外部スイッチＳＷがオンされているとき（つまり、外部接点接続端子Ｔ５，Ｔ６間が短絡されているとき）には信号処理部１１は自動運転状態をとり、外部スイッチＳＷがオフされているとき（つまり、外部接点接続端子Ｔ５，Ｔ６間が絶縁されているとき）には信号処理部１１は休日運転状態をとる。なお、自動運転状態・休日運転状態・停止状態のいずれの運転状態であっても、キー入力部１５が有する負荷操作釦４６ａ（後述）への操作入力に従った操作信号の出力は行われる。
【００２８】
また、制御プログラムでは、センサ接続端子Ｔ３，Ｔ４に接続された熱線センサ７の出力に応じた制御について設定することもできる。熱線センサ７は、人体から放射される熱線を検知することにより人体を検知する人感センサであって、例えば検知された熱線の強さを所定の閾値と比較することによって検知範囲内に人体が存在するか否かを判定しており、判定結果に応じて出力電圧を高低２段階に変化させる。センサ受信回路２３は、センサ接続端子Ｔ３，Ｔ４に接続された熱線センサ７のいずれかに人体が検知されたときにトリガを生成するトリガ手段として機能する。信号処理部１１は、センサ受信回路２３の出力に基づいて動作することにより、センサ接続端子Ｔ３，Ｔ４に接続された熱線センサ７の検知範囲内に人体が存在するか否かに応じた操作信号の生成が可能となっている。また、熱線センサ７の出力に応じた操作信号の生成を行うか否かを、制御プログラムによって切り替えることができるようになっている。すなわち、熱線センサ７によって人体が検知されたときに照明負荷をオンさせる動作を、朝７時から夜７時の間に限って行い、その他の時間帯には熱線センサ７に人体が検知されても動作しないといったことができる。
【００２９】
ここで、センサ接続端子Ｔ３，Ｔ４やセンサ受信回路２３が設けられていない場合、上記のような制御を実現するには、例えば図４に示す人感センサ親機７Ａを設ける必要があった。図４の人感センサ親機７Ａは、自らが有する熱線センサ（図示せず）の出力や、自らに接続された人感センサ７の出力に応じて、操作信号を伝送路Ｌｓに出力するセンサ動作を行う一種の制御側端末器である。また、人感センサ親機７Ａには、トリガ手段のアドレスのほかに負荷のアドレスも割り当てられ、負荷のアドレスに送信された制御信号に応じてセンサ動作のオンオフを切り替える。つまり、図４の構成は、人感センサ親機７Ａによる負荷の制御（センサ動作）が一定の時間帯のみ行われるように、タイムスイッチ１０によって制御するものである。これに対し、本実施形態では人感センサ親機７Ａのような制御側端末器を設ける必要がない。
【００３０】
タイムスイッチ１０は、図５に示すように、上記各部を収納したハウジング３０を有する。ハウジング３０は、３個モジュール寸法（ＪＩＳ規格に定義された単位寸法の埋込形配線器具を短幅方向に３個並べた形状）の埋込形配線器具を短幅方向に２個並べたいわゆる２連モジュール寸法と略同じ寸法に形成されており、前面を露出させた状態で壁面等の造営面に埋込配設される。ハウジング３０の前面において、左右方向の中央よりも右側には、液晶表示部１６と、設定入力部１０ａのハンドルとしての６個の設定入力釦４５ａ〜４５ｆとが設けられ、左右方向の中央よりも左側には、負荷操作部１０ｂのハンドルとしての４個の負荷操作釦４６ａとが設けられている。各負荷操作釦４６ａの前面には、それぞれ、負荷操作釦４６ａに付せられた名称を示す「Ａ」「Ｂ」「Ｃ」「Ｄ」の表示（図示せず）が付されている。また、各負荷操作釦４６ａの左側には、それぞれ、負荷操作釦４６ａに対応付けられた負荷の動作状態がＬＥＤ表示部２５により表示される動作表示窓４６ｂと、負荷操作釦４６ａに割り当てられた機能が表示される機能表示窓４６ｃとが設けられている。
【００３１】
また、液晶表示部１６においてハウジング３０の前方に露出する表示面には、図６に示すように、制御プログラムに割り当てられたプログラム番号を表示するプログラム番号表示部１６ａと、時刻のみに基づいて動作する制御プログラム（タイマー）に関する設定か熱線センサ７に関わる制御プログラム（熱線センサ）に関する設定かを表示する制御方式表示部１６ｂと、現在時刻や制御時刻を時・分単位で表示するとともにアドレスの表示にも用いられる時刻表示部１６ｃと、曜日を表示する曜日表示部１６ｄと、各曜日毎にプログラム動作を行うか否かを表示する動作／不動作表示部１６ｅと、信号処理部１１の現在の動作モードを表示するモード表示部１６ｆと、信号処理部１１の現在の運転状態を表示する運転表示部１６ｇと、いずれの負荷操作釦４６ａが設定対象となっているかを表示する負荷表示部１６ｈと、負荷操作釦４６ａの機能を表示する機能表示部１６ｉと、熱線センサ７による動作の種別を表示するセンサ状態表示部１６ｊと、ＯＮ又はＯＦＦの制御内容を表示する制御内容表示部１６ｋと、後述するサマータイム動作に移行しているか否かを表示するサマータイム表示部１６ｍとが設けられている。
【００３２】
以下、タイムスイッチ１０の操作方法について説明する。
【００３３】
設定入力釦４５ａ〜４５ｆは、モード選択釦４５ａと、運転切替釦４５ｂと、ＵＰ釦４５ｃと、ＤＯＷＮ釦４５ｄと、戻る釦４５ｅと、設定釦４５ｆとで構成されている。
【００３４】
モード選択釦４５ａは信号処理部１１の動作モードを切り替えるものである。すなわち、モード選択釦４５ａが一回押される毎に、モード表示部１６ｆに表示される信号処理部１１の動作モードが、通常モード、パターン・グループ設定モード、動作時刻設定モード、アドレス設定モード、現在時刻設定モード、休日運転設定モード、通常モード…の順にサイクリックに切り替わる。各モードの表示は、パターン・グループ設定モード以外については、液晶表示部１６に表示されたマークが、各モードに対応する文字の下に移動することによってなされ、パターン・グループ設定モードについては、「通常」の文字の下でマークが点滅することによって表示される。ここで、通常モードとは負荷操作釦４６ａへの操作入力や制御プログラムに従って操作信号を生成し伝送路Ｌｓへ出力するモードであり、パターン・グループ設定モードとは予めパターン制御用又はグループ制御用に設定された負荷操作釦４６ａに対して対応付ける負荷及び制御内容（パターン制御用の場合）を設定するモードであり、動作時刻設定モードとは制御プログラムの内容を設定するモードであり、アドレス設定モードとは負荷操作釦４６ａにアドレスを割り当てるモードであり、現在時刻設定モードとは現在の曜日及び時分を設定するモードであり、休日運転設定モードとは特定日プログラムを設定するモードである。
【００３５】
各設定モードにおいて、設定中の内容は、液晶表示部１６において設定項目に応じた位置に表示される。表示されている設定内容は、ＵＰ釦４５ｃ又はＤＯＷＮ釦４５ｄを押すことによって、押した釦に応じた方向にサイクリックに切り替えられ、設定釦４５ｆを押すことにより確定される。この際、ＵＰ釦４５ｃ又はＤＯＷＮ釦４５ｄを長押し（例えば１秒以上押しっぱなし）することにより、設定内容の早送りが可能となっている。例えば、設定内容が分である場合、ＵＰ釦４５ｃを長押しすれば、時刻表示部１６ｃに表示される設定中の分を通常の１分ずつではなく例えば１０分ずつ増加させることができる。また、戻る釦４５ｅを押すと、現在選択中の内容を破棄し、設定中であったのがその設定モードにおいて２番目以降に設定される項目であれば直前に設定した項目の再設定を開始することができる。
【００３６】
次に、個々の設定モードについて説明する。
【００３７】
まず、アドレス設定モードについて説明する。アドレス設定モードでは、まず、アドレスを設定する負荷操作釦４６ａを押操作することで選択し、選択された負荷操作釦４６ａが負荷表示部１６ｈに表示されていることを確認した後、設定釦４５ｆを押して確定させる。次に、機能表示部１６ｉを参照しつつ、負荷操作釦４６ａに設定する機能を選択する。設定される機能としては、個別制御に対応付ける「個別」と、パターン制御に対応付ける「Ｐ（パターン）」と、グループ制御に対応付ける「Ｇ（グループ）」と、遠隔監視制御システムの全ての負荷をオンするトリガとして用いる「全ＯＮ」と、遠隔監視制御システムの全ての負荷をオフするトリガとして用いる「全ＯＦＦ」とを選択することができる。アドレスは各機能毎に割り当てられていて、機能が異なれば必ずアドレスが異なるようになっている。制御親機１は、全ＯＮに割り当てられたアドレスのトリガ手段に起因する操作信号が入力されたときには全てのリレー６をオンするとともに全ての負荷のオンを指示する制御信号を伝送路Ｌｓへ出力し、全ＯＦＦに割り当てられたアドレスのトリガ手段に起因する操作信号が入力されたときには全てのリレー６をオフするとともに全ての負荷のオフを指示する制御信号を伝送路Ｌｓへ出力する。
【００３８】
全ＯＮ，全ＯＦＦのいずれかの機能が選択された場合にはそのままアドレス設定が完了し、個別，Ｐ，Ｇのいずれかの機能が選択された場合はアドレス番号が表示される時刻表示部１６ｃを参照しながらアドレス番号を設定してアドレス設定が完了する。アドレス設定の完了後は負荷操作釦４６ａを選択する状態に戻るので、他の負荷操作釦４６ａのアドレスの設定を行わない場合はモード選択釦４５ａを押操作して信号処理部１１を通常モードに戻す。
【００３９】
次に、パターン・グループ設定モードについて説明する。なお、このモードによってパターン制御又はグループ制御の内容を設定するには、予め、負荷操作釦４６ａのうち１個又は２個がパターン制御又はグループ制御に対応付けられ、負荷操作釦４６ａのうち複数個の機能が個別制御に対応付けられている必要がある。パターン・グループ設定モードを選択した後は、まず、運転切替釦４５ｂを押操作する。すると、信号処理部１１が信号送受信部１２を制御し、所定の切替信号を伝送路Ｌｓに出力させる。制御親機１は、切替信号を受信すると、操作信号に応じて負荷を制御する通常モードから、操作信号に応じてトリガ手段のアドレスと負荷のアドレスとの対応関係が設定される設定モードに切り替わる。その後、内容を設定したいパターン制御又はグループ制御に対応付けられた負荷操作釦４６ａを、押操作後に設定釦４５ｆを押して確定することにより選択する。次に、パターン制御又はグループ制御の対象となる負荷の個別制御に予め対応付けられた負荷操作釦４６ａを、押操作後に設定釦４５ｆを押して確定することにより選択する。ここで、グループ制御の場合には、負荷操作釦４６ａを押す度に、グループ制御の対象か否かが交互に切り替わり、パターン制御の場合には、負荷操作釦４６ａを押す度に、パターン制御時にオン→パターン制御時にオフ→パターン制御の対象外→パターン制御時にオン…といったように設定内容がサイクリックに切り替わり、ＬＥＤ表示部２５は、設定内容に応じて、発光ダイオード４３ａ〜４３ｄ（図７参照）の点灯状態を制御することにより、動作表示窓４６ｂにおける表示を切り替える。ここで、パターン制御時にオンされるかオフされるかは、例えば、点灯させる発光ダイオード４３ａ〜４３ｄの色の違いや、点滅の有無によって表現される。一通りの入力が完了した後、運転切替釦４５ｂを押すと、信号処理部１１は、入力した内容に応じて、負荷操作釦４６ａに対応付けられるパターン制御又はグループ制御の内容を指示する操作信号を生成するとともに、所定の切替信号を生成し、操作信号と切替信号とを信号送受信部１２から伝送路Ｌｓを介して制御親機１へ出力させる。制御親機１は、伝送路Ｌｓから受信された操作信号に応じて設定を更新するとともに、切替信号を受信すると、設定モードから通常モードに戻る。最後に、モード選択釦４５ａを押操作して信号処理部１１の動作モードを通常モードに戻す。本実施形態は、上記のようなパターン・グループ設定モードを有することにより、周知のパターン・アドレス設定器のような別途の装置を用いることなく、パターン制御やグループ制御の内容を設定することができる。
【００４０】
次に、動作時刻設定モードについて説明する。動作時刻設定モードでは、まず、プログラム番号表示部１６ａに表示される番号を参照して内容を設定する制御プログラムの番号を指定する。次に、制御プログラムによって動作させたい負荷に予め対応付けられた負荷操作釦４６ａを押操作することによって指定し、負荷表示部１６ｈを参照して正確に選択されていることを確認した後、設定釦４５ｆを押して確定させる。つまり、負荷操作釦４６ａを押操作することにより、その負荷操作釦４６ａに予め設定されていたアドレスが制御アドレスとして指定される。ここで、制御プログラムの番号を指定するよりも先に負荷操作釦４６ａを押操作した場合、次に制御プログラムの番号を選択するが、この場合に選択肢として表示される番号は、既にその負荷操作釦４６ａに設定された制御プログラムの番号と、まだ内容が設定されていない制御プログラムの番号のうち最も小さいものとに限られる。
【００４１】
また、負荷操作釦４６ａに代えて、機能やアドレス（すなわち制御アドレス）を直接指定することもできる。この場合は、負荷操作釦４６ａを指定せずに制御プログラムの番号を指定した後、機能表示部１６ｉを参照しつつ、アドレス設定時と同様に機能を選択する。ここで、全ＯＮ又は全ＯＦＦを選択した場合、その機能が設定された負荷操作釦４６ａを指定した場合と同様の動作になる。また、個別，Ｐ，Ｇのいずれかの機能を選択した場合、さらにアドレス番号を指定する。この場合、その機能及びアドレス番号が設定された負荷操作釦４６ａを指定した場合と同様の動作となる。ここで、負荷操作釦４６ａに設定されたアドレス以外のアドレスを指定すれば、負荷操作釦４６ａに対応付けられた負荷以外の負荷を制御プログラムにより制御することができる。
【００４２】
上記いずれの場合にも、制御プログラムの番号と負荷操作釦４６ａ又は制御アドレスとを指定したら、次に、タイマ制御と熱線センサ制御とのいずれについて設定するかを制御方式表示部１６ｂを参照しながら選択する。
【００４３】
タイマ制御を選択した場合、次に、時刻表示部１６ｃを参照しながら、制御を行う（つまり、上記制御アドレスを有する負荷操作釦４６ａが押操作された場合と同様の操作信号を信号送受信部１２から伝送路Ｌｓに出力させる）制御時刻を、時、分の順に指定する。制御時刻の設定後は、その制御プログラムに従った制御時に負荷をオンするかオフするかを設定する。つまり、操作信号のうち少なくとも制御プログラムに従って出力される操作信号には、負荷のオンオフを指示する情報が含まれている。なお、指定された負荷操作釦４６ａにＰ又は全ＯＮ又は全ＯＦＦの機能が設定されていた場合や、制御アドレス指定時にＰ又は全ＯＮ又は全ＯＦＦの機能が指定されていた場合には、上記のような負荷のオンオフの設定は行われない。
【００４４】
熱線センサ制御を選択した場合、熱線センサ７の出力に応じて操作信号を生成するセンサ制御を開始するセンサ制御開始時刻を設定するのか（入）、もしくはセンサ制御を終了するセンサ制御終了時刻を設定するのか（切）をセンサ状態表示部１６ｊを参照しながら選択し、次に時刻表示部１６ｃを参照しながら時刻を設定する。すなわち、共通の制御アドレスに対して設定されたセンサ制御開始時刻からセンサ制御終了時刻までの期間（以下、「センサ動作期間」と呼ぶ。）には、信号処理部１１は、熱線センサ７によって人体が検知されたときと、熱線センサ７によって人体が検知されない期間が所定時間（例えば３０秒）継続したときとに、それぞれ、上記制御アドレスがアドレスとして設定された負荷操作釦４６ａが操作された場合と同様の操作信号を生成して信号送受信部１２から伝送路Ｌｓに出力させる。これにより、例えば上記制御アドレスに照明負荷が対応付けられていれば、センサ動作期間中には、熱線センサ７によって人体が検知されたときから、熱線センサ７に人体が検知されなくなって３０秒間経過するまでの間、上記照明負荷を点灯させるといったことができる。
【００４５】
タイマ制御と熱線センサ制御とのいずれを選択した場合でも、最後に、曜日毎の動作のオンオフを、動作／不動作表示部１６ｅを参照しながら、月曜から日曜まで順に設定すれば、動作時刻設定が完了する。動作時刻設定の完了後は、制御プログラムの番号又は負荷操作釦４６ａが選択される状態に戻るので、他の制御プログラムの内容の設定や変更を行わない場合はモード選択釦４５ａを押操作して信号処理部１１を通常モードに戻す。
【００４６】
次に、休日設定モードについて説明する。休日設定モードでは、信号処理部１１が休日運転状態であるとき（外部スイッチＳＷがオフされているとき）に動作させたい負荷を、予めその負荷に対応付けられた負荷操作釦４６ａを押操作することにより選択する。すると、ＬＥＤ表示部２５が、押操作された負荷操作釦４６ａの左側の動作表示窓４６ｂにおいて発光部が露出する発光ダイオード４３ａ〜４３ｄを点灯させることにより、選択された負荷が表示される。負荷の選択が完了したら、モード選択釦４５ａを押せば、信号処理部１１は、選択された負荷操作釦４６ａに対応するアドレスをプログラム記憶部１３に格納する。以後、休日運転状態では、休日設定モードにおいて指定された負荷操作釦４６ａに関わる制御プログラムである特定日プログラムのみが実行される。
【００４７】
また、各動作モードにおいて、設定釦４５ｆを長押しすると、設定された通りの時刻で動作する通常設定と、設定された時刻よりも１時間早くに動作するサマータイム設定とを切り替えることができ、サマータイム設定中にはサマータイム表示部１６ｍに「＋１ｈ」の表示がなされる。
【００４８】
さらに、通常モードにおいて、運転切替釦４５ｂを長押しすると、信号処理部１１の運転状態が、自動運転状態又は休日運転状態とのうち外部スイッチＳＷのオンオフに応じた運転状態と、停止状態との間で切り替えられる。
【００４９】
次に、図５及び図７，図８を主に用いてタイムスイッチ１０の構造を説明する。以下、上下左右は図５を基準とし、図５の紙面手前−奥方向（図７の左下−右上方向）を前後方向と呼んで説明する。
【００５０】
タイムスイッチ１０のハウジング３０は、前面に凹部が設けられたボディ３１と、ボディ３１に結合して凹部を覆うカバー３２と、カバー３２の前面に左右に並べて取着された２枚の化粧カバー３３，３４とを備える。ボディ３１、カバー３２、並びに各化粧カバー３３，３４は、それぞれ例えば合成樹脂成型品からなる。右側の設定入力側化粧カバー３３はアドレスや制御プログラムの設定が入力される設定入力部１０ａの前面を構成し、左側の負荷操作側化粧カバー３４は負荷を制御プログラムによらず手動でオンオフする際に操作される負荷操作部１０ｂの前面を構成する。
【００５１】
ボディ３１は前面が開口した上下に長い直方体形状であって、前端部からは左右に２個ずつそれぞれ上下に離間して左右方向の外側へ組立突起３５が突設されている。一方、カバー３２は、前後に扁平で前方から見てボディ３１の開口と略同じ寸法形状であって、左右両端部にはそれぞれ２個ずつの組立舌片３６が上下に離間して後方へ突設されている。各組立舌片３６にはそれぞれ組立穴３７が左右に貫設されている。また、ボディ３１にはねじ６６が挿通されるねじ挿通穴６５が前後に貫設され、カバー３２の後面にはねじ６６が螺合するねじ止め部（図示せず）が設けられている。そして、組立穴３７に組立突起３５が係合するとともに、ねじ挿通穴６５に挿通されたねじ６６がカバー３２のねじ止め部に螺合することにより、ボディ３１とカバー３２とは結合している。
【００５２】
ボディ３１の背面には、図８に示すように、各接続端子Ｔ１〜Ｔ６をそれぞれ保持する端子台６０が設けられている。各接続端子Ｔ１〜Ｔ６は、それぞれいわゆるねじ端子であって、ボディ３１の背面に設けた圧入用穴（図示せず）に圧入固定される端子板６１と、端子板６１のねじ穴（図示せず）に螺合する端子ねじ６２と、端子ねじ６２が挿通されて端子ねじ６２の頭部と端子板６１との間に挟まれ端子ねじ６２が締め付けられたときに端子板６１の後面との間に電線を挟持する座金６３とで構成されている。また、ボディ３１の背面には各端子板６１を上下両側から挟んで接続端子Ｔ１〜Ｔ６間の絶縁を確保する絶縁壁６０ａが後方へ突設されている。さらに、ボディ３１の背面には、各接続端子Ｔ１〜Ｔ６の用途を表示した端子部銘板６４が貼着されている。
【００５３】
また、ボディ３１の前端からは、上下方向の外側へそれぞれ取付枠片３８が突設されている。各取付枠片３８には、左右に長い長円形状であって施工面に埋設された埋込ボックス（図示せず）にねじ止めするためのボックスねじが挿通されるボックス穴３８ａと、造営材にハウジング３０を直接ねじ止めする際にねじが挿通される直付け穴３８ｂと、造営面が石膏ボードのようなパネル材（図示せず）で構成されているときにパネル材を取付枠片３８の後面との間で挟む周知のはさみ金具（図示せず）が取り付けられるはさみ穴３８ｃとがそれぞれ設けられている。さらに、ハウジング３０の前側には、前方から見て取付枠片３８を覆う矩形枠状のプレート部材５０がねじ止めによって取り付けられるのであって、各取付枠片３８には、それぞれプレート部材５０に設けられたねじ穴（図示せず）に螺合するねじ（図示せず）が挿通されるプレート穴３８ｄがそれぞれ設けられている。プレート部材５０は中桟５０ｂによって左右に分離された２個の窓穴５０ａを有し、プレート部材５０が取り付けられた状態では前方から見て各窓穴５０ａから設定入力部１０ａと負荷操作部１０ｂとの一方ずつが露出する。
【００５４】
ボディ３１には、図３のブロック図に示された回路を構成する各回路部品がそれぞれ実装されたプリント配線板３９が収納され、３本のねじ４０を用いてボディ３１に対してねじ止めされている。また、端子板６１の左端部からは、半田付け片６１ａが前方へ突設されており、この半田付け片６１ａがプリント配線版３９に半田付けされることにより端子板６１はプリント配線板３９に電気的に接続されている。液晶表示部１６は、プリント配線板３９の右半分において上下方向の中央よりも上側に実装されている。また、液晶表示部１６の下側には、それぞれ押釦スイッチからなる６個の設定入力スイッチ４１が、上下２段に左右３個ずつ並べて実装されている。さらに、ＬＥＤ表示部２５が有する４個の発光ダイオード４３ａ〜４３ｄは、プリント配線板３９の左端部において上下に並べて実装されている。また、プリント配線板３９の左半分であって各発光ダイオード４３ａ〜４３ｄのそれぞれ右側には、それぞれ押釦スイッチからなる４個の負荷操作スイッチ４２ａ〜４２ｄが上下に並べて実装されている。設定入力スイッチ４１及び負荷操作スイッチ４２ａ〜４２ｄはキー入力部１５に含まれる。
【００５５】
カバー３２には、プリント配線板３９に実装された液晶表示部１６において表示が行われる面を前方に露出させるための窓穴３２ａが前後に貫設されている。また、カバー３２において、設定入力スイッチ４１の押釦ハンドルの前側に位置する各部と、負荷操作スイッチ４２ａ〜４２ｄの押釦ハンドルの前側に位置する各部とには、それぞれコ字形状のスリットで周囲から分離されて片持ち支持されることで先端部を他の部位に対して前後に変位させるように弾性変形可能とされたヒンジ部３２ｂ，３２ｃが設けられている。各ヒンジ部３２ｂ，３２ｃの先端部では、それぞれ矩形状の範囲で他の部位よりも前面が前方に突出している。さらに、カバー３２において、発光ダイオード４２ａ〜４３ｄに対応する位置には、それぞれ発光ダイオード４３ａ〜４３ｄの発光部が挿通されるＬＥＤ挿通穴３２ｄが前後に貫設されている。また、カバー３２の上下両端部には、それぞれ取付枠片３８のボックス穴３８ａを前方に露出させる挿通穴３３ｃが前後に貫設されている。
【００５６】
負荷操作側化粧カバー３４には、係止爪（図示せず）が後方へ突設されており、カバー３２には係止穴３２ｆが前後に貫設されていて、係止爪が係止穴３２ｆに係止することにより、カバー３２の前面の左半分を略覆う形でカバー３２に取り付けられている。負荷操作側化粧カバー３４には、カバー３２に設けた４個のヒンジ部３２ｃにおいて押圧される先端部がそれぞれ挿通されるヒンジ挿通穴３４ａと、カバー３２のＬＥＤ挿通穴３２ｄに連通して発光ダイオード４３ａ〜４３ｄが挿通されるＬＥＤ挿通穴３４ｂとがそれぞれ４個ずつ前後に貫設されている。また、ヒンジ挿通穴３４ａとＬＥＤ挿通穴３４ｂとの間には、負荷操作スイッチ４２ａ〜４２ｄの機能を表示するネームシート４７が収納される収納凹部３４ｃが設けられている。
【００５７】
負荷操作側化粧カバー３４の前面には、負荷操作側化粧カバー３４の前面と略同じ寸法形状の銘板４６が貼着されている。この銘板４６は、可撓性を有する合成樹脂によりシート状に形成されたメンブレンシートと呼ばれるもので、負荷操作釦４６ａは、銘板４６に、それぞれヒンジ挿通穴３４ａの前側においてそれぞれ前方に向かって膨出する形で設けられている。すなわち、負荷操作釦４６ａを前方から押圧して弾性変形させると、負荷操作釦４６ａと後側のヒンジ部３２ｃとを介して、さらに後側の負荷操作スイッチ４２ａ〜４２ｄの押釦ハンドルに押力を加えることができるようになっている。すなわち、負荷操作スイッチ４２ａ〜４２ｄが請求項における負荷操作用トリガ手段を構成している。また、発光ダイオード４３ａ〜４３ｄの光を目視可能とする動作表示窓４６ｂは、銘板４６において透明な部位として設けられている。さらに、機能表示窓４６ｃは、動作表示窓４６ｂと同様に銘版４６において透明な部位として設けられ、ネームシート４７に記された、負荷操作釦４６ａの機能を示す表示を前方から目視可能とするものである。
【００５８】
また、設定入力側化粧カバー３３は、負荷操作側化粧カバー３４と同様に、裏面に設けた係止爪（図示せず）をカバーの前面に設けた係止穴３２ｆに係止させることで、カバー３２に対し前方から見てカバー３２の右半分を略覆う形で結合している。設定入力側化粧カバー３３の前方から見て上端から３分の２ほどの部位は、その下側の部位よりも前方へ突出した突台部３３ａとされている。突台部３３ａには、液晶表示部１６を前方へ露出させる窓穴３３ｂが前後に貫設されている。また、設定入力側化粧カバー３３において突台部３３ａの下側に位置し前面が突台部３３ａの前面よりも後側に位置する部位（以下、「後退部」と呼ぶ。）３３ｅには、設定入力スイッチ４１に一対一に対応した６個のヒンジ部３２ｂをそれぞれ前方に露出させるように６個の釦挿通穴３３ｃが前後に貫設されている。
【００５９】
さらに、設定入力側化粧カバー３３の前面には、銘版４４，４５が貼着されている。銘版４４，４５は、突台部３３ａの前面を覆う上側銘版４４と、後退部３３ｅの前面を覆う下側銘版４５とに分かれている。上側銘板４４には、液晶表示部１６を視認可能とする透明な窓部４４ａが設けられている。
【００６０】
下側銘板４５は、シート状の合成樹脂からなり可撓性を有するいわゆるメンブレンシートである。設定入力釦４５ａ〜４５ｆは、下側銘板４５に、設定入力側化粧カバー３３の釦挿通穴３３ｃの前側に位置する各部においてそれぞれ前方に膨出する形で設けられている。すなわち、設定入力釦４５ａ〜４５ｆを前方から押圧して弾性変形させると、設定入力釦４５ａ〜４５ｆと後側のヒンジ部３２ｂとを介して、さらに後側の設定入力スイッチ４１の押釦ハンドルに押力を加えることができるようになっている。すなわち、設定入力スイッチ４１が請求項におけるプログラム入力手段及びアドレス入力手段を構成している。また、運転切替釦４５ｂの後側に位置する下段左の設定入力スイッチ４１は、請求項における切替入力手段を構成している。
【００６１】
また、図９に示すように、設定入力側化粧カバー３３の下端部には枢支部３３ｄが下方へ突設されており、枢支部３３ｄには、設定入力釦４５ａ〜４５ｆを開閉自在に覆う扉体４８が取り付けられている。
【００６２】
扉体４８について詳しく説明する。扉体４８は、図１０に示すように、長方形状の扁平な本体部４８ａと、本体部４８ａの長手方向の両端部から本体部４８ａの短手方向の互いに同じ方向へそれぞれ突設された結合部４８ｂとを有する。各結合部４８ｂにおいて互いに対向する面にはそれぞれ軸突起４８ｃが左右方向の内側へ突設されており、枢支部３３ｄの左右両端面にはそれぞれ軸受け凹部３３ｆが設けられていて、各軸突起４８ｃはそれぞれ軸受け凹部３３ｆに枢支されている。これにより、扉体４８は、結合部４８ｂが本体部４８ａに対して突出する方向を下方とし本体部４８ａの厚さ方向を前後方向に向けて前方から見て下側銘板４５を覆う閉位置と、閉位置における上端部を下端部に対して右側から見て反時計回りに回動させて下側銘板４５を露出させる開位置との間で、設定入力側化粧カバー３３に対して回動可能に枢着されている。そして、本体部４８ａの閉位置における後面には、設定入力釦４５ａ〜４５ｆの操作方法が表示された銘板４９が貼着されている。
【００６３】
以下、扉体４８の説明については、閉位置での方向を基準として説明する。扉体４８の上端部（図１０では下端部）には、２個の係止突起４８ｄが左右に並べて後方（図１０では左下方）へ突設されており、各係止突起４８ｄのそれぞれ後端部からは係止爪４８ｅが上方（図１０では下方）へ突設されている。突台部３３ａの下面には係止凹部３３ｇが左右に並べて設けられており、閉位置では係止爪４８ｅが係止凹部３３ｇに係入することにより、扉体４８が勝手に開く（閉位置から開位置に回動する）ことが禁止されている。さらに、突台部３３ａの下面において係止凹部３３ｇに挟まれた位置には、前方と下方とにそれぞれ開放された操作凹部３３ｈが設けられている。扉体４８を開く際には、操作凹部３３ｈの内面と扉体４８の上面との間に生じる隙間から手の指などを挿入することにより、容易に扉体４８を開くことができる。
【００６４】
また、閉位置では、扉体４８の前面は、上側銘板４４の前面に略面一となる。さらに、枢支部３３ｄの左右の端面は、後退部３３ｅの左右の端面よりも左右方向の内側に位置しており、結合部４８ｂの寸法形状は、扉体４８の左右の端面が設定入力側化粧カバー３３の左右の端面と略面一になるように選択されている。
【００６５】
また、各結合部４８ｂの下端部からは、それぞれ制限突起４８ｆが下方へ突設されている。そして、閉位置から開位置へ向かう方向の扉体４８の回動は、図１１に示すように制限突起４８ｆが後退部３３ｅの下端面に当接することにより、図１２に示すように扉体４８の後面（内面）が下方に向かって前方に傾斜する向きまでに制限されている。つまり、制限突起４８ｆが請求項における制限手段である。
【００６６】
上記構成によれば、図１に示すように、扉体４８が開位置で斜め上向きとなることにより、目線が扉体４８よりも高い使用者Ｕにとって、銘板４９に表示された操作説明が見やすくなる。
【図面の簡単な説明】
【００６７】
【図１】本発明の実施形態の効果を示す説明図である。
【図２】同上の使用形態を示す説明図である。
【図３】同上の構成を示すブロック図である。
【図４】同上の比較例の使用形態を示す説明図である。
【図５】同上を示す正面図である。
【図６】同上の要部を示す正面図である。
【図７】同上を示す分解斜視図である。
【図８】同上を示す背面図である。
【図９】同上に用いられる設定入力側化粧カバーを示す斜視図である。
【図１０】同上の扉体を示す斜視図である。
【図１１】同上の要部を示す斜視図である。
【図１２】同上の要部を示す右側面図である。
【符号の説明】
【００６８】
１  制御親機
７  熱線センサ
１０  タイムスイッチ
１１  信号処理部
１２  信号送受信部
１５  キー入力部
２３  センサ受信回路
３０  ハウジング
４１  設定入力スイッチ
４２ａ〜４２ｄ  負荷操作スイッチ
４５ａ〜４５ｆ  設定入力釦
４６ａ  負荷操作釦
４８  扉体
４８ｆ  制限突起
４９  銘板
Ｔ３，Ｔ４  センサ接続端子
【図１】
2007274185.tif 000003
【図２】
2007274185.tif 000004
【図３】
2007274185.tif 000005
【図４】
2007274185.tif 000006
【図５】
2007274185.tif 000007
【図６】
2007274185.tif 000008
【図７】
2007274185.tif 000009
【図８】
2007274185.tif 000010
【図９】
2007274185.tif 000011
【図１０】
2007274185.tif 000012
【図１１】
2007274185.tif 000013
【図１２】
2007274185.tif 000014